(57)【要約】【課題】  左右の手足を交互に動かし、全身の複合運動化を計り血行を促進できる運動健康器具を提供する。【解決手段】  握りバ−１ａを繰り返し振り、ア−ム２の作動と連結された可動ロ−タ−８ａのペタル受具１０ａ上に取り付けたペタル１２ａは上下運動９となる。運動者１７が握りバ−１ａの引付け力はペタル１２ａを上昇させる増強であり、その時の左手の助力は少ない力で行う。また、反対側の握りバ−１ｂとペタル１２ｂに至っても対称的な働きを行い、運転者１７の適切な全身の振幅運動が簡単にできる。【選択図】図１
2008114028.tif 000002
【特許請求の範囲】
【請求項１】
握りバ−１ａ・１ｂの振り幅はア−ム支持フレ−ム３の主軸ａと主軸ｂの長さに比例し、主軸ｂは本体フレ−ム１３ａ・１３ｂに固定しア−ム支持フレ−ム３に長穴７ａを設け使用に適した調整とする。連結ピン４ａ・４ｂで接続された連結フラットバ−６ａ・６ｂは往復運動となり、連結ピン５ａ・５ｂで接続した可動ロ−タ−８ａ・８ｂは中心部に主軸ｄを設け、上下運動９に変換させペタル受具１０ａ・１０ｂにペタル１２ａ・１２ｂを乗せ人的可動する。
【発明の詳細な説明】
【技術分野】
【０００１】  フレームが大きく狭い場所で使用するのが少々無理があり、移動する際も簡単にはできなかった。また、屈伸運動が添えられていないので、その分、他の運動器具を利用した。
【背景技術】
【０００２】  従来の技術は、図面５に示すよう振り子の原理を使用した方法で、フレ−ム２の頂点に主軸ａを設けた軸受より振り棒３を二本吊り下げ、その底辺に踏板４を取付け左右対称にブランコ状を作り踏板４の先端に主軸ｃを設けア−ム１の下方と接続し、フレ−ム２とア−ム１の要所に主軸ｂで支える。ア−ム１の握り部７を左右に持ち交互に振り、踏板４に左右の両足を乗せて全身を振る運動健康器具としての運動抵抗力が少なくブランコに乗った状態と変わらない。あと一つヒザの屈伸運動などが欲しい。
【発明の開示】
【発明が解決しようとする課題】
【０００３】  一つの健康器具を使って一つの運動を行うことは、体の動作も小さくなりがちで全身の血行を良くしようとするには、時間を掛け個々に移し変えなくてはならない。これらの事を踏まえて考案した器具は、上半身を使って手の振りを大きくし、又、引付け、力は運動者の体重に比例した助力を交互に行う。足の踏込みも大きくその動作は手足のバランス感覚に同調し、全身を大胆に使い血行の廻りを良くした運動健康器具である。
【課題を解決するための手段】
【０００４】  握りバ−１ａ・１ｂの振り幅はア−ム支持フレ−ム３の主軸ａと主軸ｂの長さに比例し、主軸ｂは本体フレ−ム１３ａ・１３ｂに固定しア−ム支持フレ−ム３に長穴７ａを設け使用に適した調整もできる。連結ピン４ａ・４ｂで接続された連結フラットバ−６ａ・６ｂは同一軌道上で往復運動となる動きをする。連結ピン５ａ・５ｂで接続した可動ロ−タ−８ａ・８ｂは中心部に主軸ｄを設け上下運動９に変換させ、ペタル受具１０ａ・１０ｂにペタル１２ａ・１２ｂを乗せ人的可動する事により装置全体が同調作動する。
【発明の効果】
【０００５】  身体の中央を境目として上下に分け、そのバランスは胸囲部廻りから腕先・手先・握りバ−を通ってア−ムを経て連結金具で接続された可動ロ−タ−にペタル受具上のペタルに両足を乗せて上下運動を行えば足廻りの動きを通して全体がサイクルの取れた振幅運動ができる。
【発明を実施するための最良の形態】
【０００６】  握りバ１ａ・１ｂの振れ幅はア−ム支持フレ−ム３の主軸ａと主軸ｂの長さに比例するため、主軸ｂは本体フレ−ム１３ａ・１３ｂに固定し、ア−ム支持フレ−ム３に長穴７ａを設け使用条件に適し調整をア−ム２の振る動きに適切な状態とした。連結ピン４ａ・４ｂで接続した連結フラットバ−６ａ・６ｂは中央に長穴７ｂを設け主軸ｃで安定した往復運動する。更に、連結ピン５ａ・５ｂで接続した可動ロ−タ−８ａ・８ｂは上下運動９に変換する。可動ロ−タ−８ａ・８ｂの所定箇所にペタル受具１０ａ・１０ｂを取付け、本体カバ−１１の外側に突起させペタル受具１０ａ・１０ｂにペタル１２ａ・１２ｂを取付け、そこに両足を乗せて交互に踏込み、両手で握りバ−１ａ・１ｂを漕げば装置全体が同調作動する。
【実施形態の効果】
【０００７】  運動者１７の年齢に合った運動量がコントロールできる握りバ−１ａを繰り返し振り、ア−ム２の作動と連結された可動ロ−タ−８ａのペタル受具１０ａ上に取付けたペタル１２ａは上下運動９となる。〔図１〕に示すよう、運動者１７が握りバ−１ａを引付け力はペタル１２ａを上昇させる増強であり、その時の反対側の握りバ−１ｂとペタル１２ｂに至っても対称的な運動力となる。このサイクルを総合すると運動者１７の適切な全身の振幅運動に於いて手早く調整でき、自己コントロ−ルも簡単にできる。
【他の実施形態】
【０００８】  〔図１〕に於いての運動者１７が無理な負担をする事なく適切に連続して運動量を消費するため、他の実施形態ではア−ム２の差込式接続部１８を取外し、本体だけで下半身の運動と、ペタル１２ａ・１２ｂの踏込みによって、ヒザの屈伸運動も適度に利用できる。
【図面の簡単な説明】
【０００９】
【図１】この発明の一実施形態を示す外観立面図である。
【図２】この発明の一実施形態を示す外観平面図である。
【図３】この発明の一実施形態を示す断面立面図である。
【図４】この発明の一実施形態を示す断面平面図である。
【図５】従来技術を示す斜視図である。
【符号の説明】
〔図１・２・３・４〕
ａ  主軸                  ５ｂ  連結ピン            １２ａ  ペタル
ｂ  主軸                  ６ａ  連結フラットバ−    １２ｂ  ペタル
ｃ  主軸                  ６ｂ  連結フラットバ−    １３ａ  本体フレ−ム
ｄ  主軸                  ７ａ  長穴                １３ｂ  本体フレ−ム
１ａ  握りバ−              ７ｂ  長穴                  １４  フレ−ム接合軸
１ｂ  握りバ−              ８ａ  可動ロ−タ−          １５  台座
２  ア−ム                ８ｂ  可動ロ−タ−          １６  受具往来長穴
３  ア−ム支持プレ−ト      ９  上下運動              １７  運動者
４ａ  連結ピン            １０ａ  ペタル受具            １８  差込式接続部
４ｂ  連結ピン            １０ｂ  ペタル受具
５ａ  連結ピン              １１  本体カバ−
〔図５〕
ａ  主軸                    １  アーム                  ５  握り部
ｂ  主軸                    ２  フレ−ム                ６  運動者
ｃ  主軸                    ３  振り棒
ｄ  主軸                    ４  踏板
【図１】
2008114028.tif 000003
【図２】
2008114028.tif 000004
【図３】
2008114028.tif 000005
【図４】
2008114028.tif 000006
【図５】
2008114028.tif 000007